(57)【要約】      （修正有）【課題】あと施工アンカーの設置工程における作業を簡略にし、効率化することができる穿孔計測器具を提供する。【解決手段】コンクリート壁面１０に形成されたあと施工アンカー設置用の穿孔１１内に挿入可能であり、外周面に穿孔１１の深さを計測する目盛りが設けられているパイプ２と、該パイプ２に接続され、パイプ２内に空気の流れを生じさせる弾性中空部３を備える穿孔計測器具１であり、弾性中空部３は、パイプ２の先端口から空気を吹き出す空気の流れを発生可能である。【選択図】図２
0003173211.tif 000002
【実用新案登録請求の範囲】
【請求項１】
コンクリートに形成されたあと施工アンカー設置用の穿孔内に挿入可能であり、外周面に前記穿孔の深さを計測する目盛りが設けられているパイプと、
前記パイプに接続され、前記パイプ内に空気の流れを生じさせる空気流発生部と、
を備えることを特徴とする穿孔計測器具。
【請求項２】
前記空気流発生部が、前記パイプの先端口から空気を吹き出す空気の流れを発生可能な弾性中空部であることを特徴とする請求項１記載の穿孔計測器具。
【請求項３】
前記空気流発生部が、前記パイプの先端口から空気を吸引する空気の流れを発生可能な吸引ポンプであることを特徴とする請求項１記載の穿孔計測器具。
【請求項４】
前記空気流発生部が、前記パイプの先端口から空気を吹き出す空気の流れと前記パイプの先端口から空気を吸引する空気の流れの双方を発生可能な弾性中空部であることを特徴とする請求項１記載の穿孔計測器具。
【考案の詳細な説明】
【技術分野】
【０００１】
本考案は、コンクリートに形成した穿孔内にあと施工アンカーを設ける際に、穿孔の深さを計測する穿孔計測器具に関する。
【背景技術】
【０００２】
従来、コンクリートの壁面や床に部材等を固定する場合に、コンクリートに穿孔を形成し、その穿孔にあと施工アンカーを設置することが行われているが、あと施工アンカーを安定して設置するためには、正確な深さの穿孔にあと施工アンカーを設置することが必要となる。そのため、あと施工アンカーを穿孔内に設置する前に、穿孔内を清掃してから、穿孔の深さを物差しで計測して確認することが行われている。
【０００３】
例えば図５（ａ）、（ｂ）に示すように、コンクリート壁面１０にドリル２０で孔を開けて穿孔１１を形成し、細管７０を介して穿孔１１にエアブローで空気を送り込み或いは穿孔１１から吸引ポンプで空気を吸い込み、穿孔１１内に溜まった切粉１２を吹き飛ばす或いは吸引して穿孔１１の孔奥を清掃する。その後、図５（ｃ）に示すように、穿孔１１内に物差し８０を挿入して穿孔１１の深さを形成する。
【０００４】
そして、穿孔１１の計測深さが許容範囲であることが確認された場合、図５（ｄ）、（ｅ）に示すように、穿孔１１内にあと施工アンカー３０を挿入し、ハンマー５０で打ち込み棒４０を介してあと施工アンカー３０を打ち込み、あと施工アンカー３０を穿孔１１内に固定設置する。
【０００５】
図示例のあと施工アンカー３０は、スリットを有する拡張部３１ａが先端に設けられている円筒形の本体３１と、先端に向かって拡径し、後部が本体３１内に挿入されているコーン部３２とから構成される本体打ち込み式のあと施工アンカー３０であり、本体３１の後端を打ち込むことで、本体３１内にコーン部３２が入り込むようにして拡張部３１ａを拡張させ、拡張した拡張部３１ａをコンクリートに食い込ませて、あと施工アンカー３０をコンクリートに固定するようになっている。
【０００６】
また、穿孔１１の深さを計測する器具として、特許文献１の穿孔計測器具が提案されている。特許文献１の穿孔計測器具は、穿孔の深さを計測する目盛りを有するゲージと、ゲージを移動自在に保持する保持部と、保持部に設けられ、穿孔の幅方向に突出する付勢力を有する複数の位置決め部材で構成され、穿孔の深さを簡単に計測できるとされている。
【先行技術文献】
【特許文献】
【０００７】
【特許文献１】特開２００９−１６８６６０号公報
【考案の概要】
【考案が解決しようとする課題】
【０００８】
ところで、あと施工アンカーの設置工程では、物差し８０或いは特許文献１の穿孔計測器具を穿孔内に挿入して穿孔の深さを計測する工程の前に、正確に深さを計測するため、細管７０を穿孔１１内に挿入して孔奥を清掃する工程を別途に行う必要がある。即ち、エアブロー或いは吸引ポンプの細管７０を挿入、清掃及び取り出しの工程と、物差し８０或いは特許文献１の穿孔計測器具の挿入、計測及び取り出しの工程という２段階の全く独立した作業を行う必要があるが、斯様な２段階の独立した作業は煩雑であると共に効率性に劣る。特に、あと施工アンカーの施工本数が多くなる程、作業の煩雑さ、効率性の低さの問題はより大きくなる。
【０００９】
本考案は上記課題に鑑み提案するものであって、あと施工アンカーの設置工程における作業を簡略にし、効率化することができる穿孔計測器具を提供することを目的とする。
【課題を解決するための手段】
【００１０】
本考案の穿孔計測器具は、コンクリートに形成されたあと施工アンカー設置用の穿孔内に挿入可能であり、外周面に前記穿孔の深さを計測する目盛りが設けられているパイプと、前記パイプに接続され、前記パイプ内に空気の流れを生じさせる空気流発生部とを備えることを特徴とする。
この構成によれば、パイプを穿孔内に挿入し、空気流発生部で空気の流れを発生させて穿孔の孔奥を清掃する作業と連続して、パイプの目盛りで穿孔の深さを計測することが可能となる。即ち、穿孔の孔奥の清掃と穿孔深さの計測の作業、ひいては、あと施工アンカーの設置工程における作業を簡略にし、効率化することができる。
【００１１】
本考案の穿孔計測器具は、前記空気流発生部が、前記パイプの先端口から空気を吹き出す空気の流れを発生可能な弾性中空部であることを特徴とする。
この構成によれば、ゴム球等の弾性中空部を押圧してパイプの先端口から空気を吹き出し、孔奥から切粉を除去することが可能となり、器具構造の簡易化、操作性の向上、器具の低コスト化を図ることができる。
【００１２】
本考案の穿孔計測器具は、前記空気流発生部が、前記パイプの先端口から空気を吸引する空気の流れを発生可能な吸引ポンプであることを特徴とする。
この構成によれば、吸引ポンプでパイプの先端口から空気を吸引して、孔奥の切粉を残らず綺麗に清掃することが可能となり、穿孔の深さ計測の高精度化、穿孔の深さ計測の安定性の向上、あと施工アンカーの設置の安定性の向上を図り、高度な施工管理を行うことができる。
【００１３】
本考案の穿孔計測器具は、前記空気流発生部が、前記パイプの先端口から空気を吹き出す空気の流れと前記パイプの先端口から空気を吸引する空気の流れの双方を発生可能な弾性中空部であることを特徴とする。
この構成によれば、ゴム球等の弾性中空部を押圧してパイプの先端口から空気を吹き出したり、弾性中空部の弾性復元によりパイプの先端口から空気を吸引し、切粉を吹き飛ばしたり吸引したりして孔奥から除去することが可能となり、器具構造の簡易化、操作性の向上、器具の低コスト化を図ることができる。
【考案の効果】
【００１４】
本考案の穿孔計測器具は、あと施工アンカーの設置工程における作業を簡略にし、効率化することができる。
【図面の簡単な説明】
【００１５】
【図１】本考案の第１実施形態の穿孔計測器具を示す正面図。
【図２】（ａ）〜（ｅ）は第１実施形態の穿孔計測器具を用いるあと施工アンカーの施工工程を説明する説明図。
【図３】本考案の第２実施形態の穿孔計測器具を示す正面図。
【図４】（ａ）〜（ｅ）は第２実施形態の穿孔計測器具を用いるあと施工アンカーの施工工程を説明する説明図。
【図５】（ａ）〜（ｆ）は従来のあと施工アンカーの施工工程を説明する説明図。
【考案を実施するための形態】
【００１６】
〔第１実施形態の穿孔計測器具〕
本考案による第１実施形態の穿孔計測器具１について説明する。
【００１７】
第１実施形態の穿孔計測器具１は、図１及び図２（ｂ）に示すように、パイプ２と、パイプ２に接続され、パイプ２内に空気の流れを生じさせる空気流発生部に相当する弾性中空部３とから構成される。
【００１８】
パイプ２は、先端と後端が開口している直状筒形であり、コンクリートに形成されるあと施工アンカー設置用の穿孔１１内に挿入可能な外径で形成されている。その外周面には穿孔１１の深さを計測する目盛り２ａが設けられており、図示例では正面側と背面側のそれぞれに目盛り２ａが設けられている。尚、パイプ２の筒形の形状は、円筒形、或いは四角筒など多角形など適宜である。
【００１９】
弾性中空部３は、ゴム球など弾性素材で形成され、外部から押圧してへこませた場合に、弾性復元で基の形状に復元するようになっている。弾性中空部３は、その口元３ａをパイプ２の後端側に外嵌めされ、パイプ２に着脱可能に取り付けられており、内部の中空部がパイプ２と連通している。弾性中空部３は、外部から押圧することにより、パイプ２の先端口から空気を吹き出す空気の流れを発生可能である。
【００２０】
第１実施形態の穿孔計測器具１を用いて、あと施工アンカー３０を設置する際には、図２（ａ）に示すように、先ずコンクリート壁面１０にドリル２０で穿孔１１を形成し、ドリル２０を取り出す。その後、図２（ｂ）に示すように、穿孔計測器具１のパイプ２を、パイプ２の先端が孔奥近傍に位置するまで穿孔１１内に挿入し、弾性中空部３を押圧してパイプ２の先端口から空気を吹き出し、穿孔１１の孔奥に溜まっている切粉１２を吹き飛ばす。更に、パイプ２の先端を孔奥に当接させて穿孔１１の深さを計測し、パイプ２を穿孔１１から取り出す。
【００２１】
そして、穿孔１１の計測した深さが許容範囲であることを確認できた場合には、図２（ｃ）に示すように、穿孔１１内に、スリットを有する拡張部３１ａが先端に設けられている円筒形の本体３１と、先端に向かって拡径し、後部が本体３１内に挿入されているコーン部３２とから構成される本体打ち込み式のあと施工アンカー３０を挿入する。更に、図２（ｄ）に示すように、本体３１の後端を打ち込み棒４０を介してハンマー５０で打ち込み、本体３１内にコーン部３２が入り込むようにして拡張部３１ａを拡張させ、拡張した拡張部３１ａをコンクリートに食い込ませて、あと施工アンカー３０をコンクリートに固定する。
【００２２】
その後、図２（ｅ）に示すように、取付部材６０をコンクリート壁面１０に沿うように配置し、取付部材６０に形成されている孔からワッシャー３３を介してボルト３４を挿入し、ボルト３４を本体３１の後部内側の雌ねじ部３１ｂに螺合して取付部材６０をコンクリート壁面１０に固定する。
【００２３】
第１実施形態の穿孔計測器具１によれば、パイプ２を穿孔１１内に挿入し、弾性中空部３で空気の流れを発生させて穿孔１１の孔奥を清掃する作業と連続して、パイプ２の目盛り２ａで穿孔１１の深さを計測することが可能となる。即ち、穿孔１１の孔奥の清掃と穿孔深さの計測の作業、ひいては、あと施工アンカー３０の設置工程における作業を簡略にし、効率化することができる。また、パイプ２の先端口から空気を吹き出させる弾性中空部３により、穿孔計測器具１の構造の簡易化、操作性の向上、低コスト化を図ることができる。
【００２４】
〔第２実施形態の穿孔計測器具〕
次に、本考案による第２実施形態の穿孔計測器具４について説明する。
【００２５】
第２実施形態の穿孔計測器具４は、図３及び図４（ｂ）に示すように、パイプ２と、パイプ２に接続され、パイプ２内に空気の流れを生じさせる空気流発生部に相当する吸引ポンプ６とから構成される。パイプ２の構成は、第１実施形態と同一である。
【００２６】
吸引ポンプ６は、内部を減圧して吸引するものであり、チューブ５、接続部５ａを介して、パイプ２の後端側に接続されている。吸引ポンプ６を起動することにより、パイプ２の先端口から空気を吸引する空気の流れを発生可能になっている。
【００２７】
第２実施形態の穿孔計測器具４を用いて、あと施工アンカー３０を設置する際には、図４（ａ）、（ｂ）に示すように、コンクリート壁面１０にドリル２０で穿孔１１を形成してドリル２０を取り出した後、穿孔計測器具４のパイプ２を、パイプ２の先端が孔奥近傍に位置するまで穿孔１１内に挿入し、吸引ポンプ６を起動してパイプ２の先端口から空気を吸い込み、穿孔１１の孔奥に溜まっている切粉１２を吸引する。更に、パイプ２の先端を孔奥に当接させて穿孔１１の深さを計測し、パイプ２を穿孔１１から取り出す。
【００２８】
そして、穿孔１１の計測した深さが許容範囲であることを確認できた場合には、第１実施形態と同様に、穿孔１１内にあと施工アンカー３０を挿入して打ち込み、拡張部３１ａを拡張させてあと施工アンカー３０をコンクリートに固定し、更に、ワッシャー３３を介してボルト３４をあと施工アンカー３０の雌ねじ部３１ｂに螺合して、取付部材６０をコンクリート壁面１０に固定する（図４（ｃ）〜（ｅ）参照）。
【００２９】
第２実施形態の穿孔計測器具４によれば、パイプ２を穿孔１１内に挿入し、吸引ポンプ６で空気の流れを発生させて穿孔１１の孔奥を清掃する作業と連続して、パイプ２の目盛り２ａで穿孔１１の深さを計測することが可能となる。即ち、穿孔１１の孔奥の清掃と穿孔深さの計測の作業、ひいては、あと施工アンカー３０の設置工程における作業を簡略にし、効率化することができる。また、吸引ポンプ６の吸引の清掃により、穿孔１１の深さ計測の高精度化、穿孔１１の深さ計測の安定性の向上、あと施工アンカー３０の設置の安定性の向上を図り、高度な施工管理を行うことができる。
【００３０】
〔実施形態の変形例等〕
本考案は、上記第１、第２実施形態に限定されず、本考案の趣旨の範囲内の適宜の構成を含むものであり、下記変形例も包含する。
【００３１】
例えばパイプ２内に空気の流れを生じさせる空気流発生部は、パイプ２の先端口から空気を吹き出す空気の流れとパイプ２の先端口から空気を吸引する空気の流れの双方を発生可能なものとすることが可能である。このような空気流発生部としては、例えば所要の復元力を有する弾性中空部とし、外部からの押圧によりへこんで空気を吹き出すと共に、その弾性復元時に空気を吸引するものや、或いは加圧で空気を吹き出すと共に、減圧で空気を吸引する加圧減圧ポンプ等とすることが可能である。尚、この場合の弾性中空部も、器具構造の簡易化、操作性の向上、器具の低コスト化を図ることができる。
【００３２】
また、パイプ２の先端口から空気を吹き出す空気の流れを発生可能な空気流発生部を加圧ポンプとする、或いは、パイプの先端口から空気を吸引する空気の流れを発生可能な空気流発生部を所要の復元力を有する弾性中空部とすることも可能である。後者としては、例えば図１と同一形状の穿孔計測器具１において、所要の復元力を有する弾性中空部３を押圧した状態でパイプ２を穿孔１１内に挿入して押圧を解放し、弾性中空部３を膨らませて孔奥周辺の切粉をパイプ２の先端口から吸引し、弾性中空部３内に溜まった切粉がある程度まとまった段階で、パイプ２から弾性中空部３を外して切粉を捨てる構成とする。尚、このパイプ２から弾性中空部３を外して切粉を捨てる構成は、上記吹き出す空気の流れと吸引する空気の流れの双方を発生可能な所要の復元力を有する弾性中空部の場合にも適用可能である。
【００３３】
また、本考案の穿孔計測器具は、適宜のあと施工アンカーの設置で穿孔深さを計測する際に用いることが可能であり、例えば上記本体打ち込み式のあと施工アンカー３０の他、スリーブ打ち込み式、芯棒打ち込み式などの各種の打ち込み式のあと施工アンカー、締め付け式のあと施工アンカー、カプセル式或いは注入式の接着系アンカー等の設置工程で適用することができる。
【産業上の利用可能性】
【００３４】
本考案の穿孔計測器具は、例えばコンクリート壁面の穿孔内にあと施工アンカーを設置する場合に、あと施工アンカー設置前の穿孔の深さ計測において利用することができる。
【符号の説明】
【００３５】
１、４…穿孔計測器具  ２…パイプ  ２ａ…目盛り  ３…弾性中空部  ３ａ…口元  ５…チューブ  ５ａ…接続部  ６…吸引ポンプ  １０…コンクリート壁面  １１…穿孔  １２…切粉  ２０…ドリル  ３０…あと施工アンカー  ３１…本体  ３１ａ…拡張部  ３１ｂ…雌ねじ部  ３２…コーン部  ３３…ワッシャー  ３４…ボルト  ４０…打込み棒  ５０…ハンマー  ６０…取付部材  ７０…細管  ８０…物差し
【図１】
0003173211.tif 000003
【図２】
0003173211.tif 000004
【図３】
0003173211.tif 000005
【図４】
0003173211.tif 000006
【図５】
0003173211.tif 000007